(57)【要約】【課題】遊技者が自然な体勢で無理なく遊技を行うことができ、しかも遊技機本体枠の開閉端側に施錠手段等を配置するための十分なスペースを確保することが可能な弾球遊技機を提供する。【解決手段】前面側に遊技領域９ａを備えた遊技盤９が遊技機本体枠１に装着され、遊技機本体枠１は、略矩形状の外枠２と、遊技盤９を着脱自在に保持する遊技盤装着枠８を有し且つ外枠２の前側に左右方向一端側のヒンジ１０により開閉自在に装着された内枠３とを備え、遊技機本体枠１における左右方向他端側に、内枠３を閉じた状態で外枠２に解除可能に施錠する施錠手段１１を配置した弾球遊技機で、遊技盤９は、その縦中心線ＣＬ２を遊技機本体枠１の縦中心線ＣＬ１に対してヒンジ１０側にずらして配置され、遊技領域９ａは、その略中央に設けられたアウト口５９の縦中心線ＣＬ３を遊技盤９の縦中心線ＣＬ２に対して施錠手段１１側にずらして配置されているものである。【選択図】図２
2011182976.tif 000002
【特許請求の範囲】
【請求項１】
前面側に遊技領域（９ａ）を備えた遊技盤（９）が遊技機本体枠（１）に装着され、前記遊技機本体枠（１）は、略矩形状の外枠（２）と、前記遊技盤（９）を着脱自在に保持する遊技盤装着枠（８）を有し且つ前記外枠（２）の前側に左右方向一端側のヒンジ（１０）により開閉自在に装着された内枠（３）とを備え、前記遊技機本体枠（１）における左右方向他端側に、前記内枠（３）を閉じた状態で前記外枠（２）に解除可能に施錠する施錠手段（１１）を配置した弾球遊技機において、前記遊技盤（９）は、その縦中心線（ＣＬ２）を前記遊技機本体枠（１）の縦中心線（ＣＬ１）に対して前記ヒンジ（１０）側にずらして配置され、前記遊技領域（９ａ）は、その略中央に設けられた中央遊技部品（５９，５２，５４，５６，５７）の縦中心線（ＣＬ３〜ＣＬ５）を前記遊技盤（９）の縦中心線（ＣＬ２）に対して前記施錠手段（１１）側にずらして配置されていることを特徴とする弾球遊技機。
【請求項２】
前記中央遊技部品の縦中心線（ＣＬ３〜ＣＬ５）が、前記遊技盤（９）の縦中心線（ＣＬ２）よりも前記遊技機本体枠（１）の縦中心線（ＣＬ１）に近くなるように前記中央遊技部品を配置したことを特徴とする請求項１に記載の弾球遊技機。
【請求項３】
前記中央遊技部品はアウト口（５９）であることを特徴とする請求項１〜３の何れかに記載の弾球遊技機。
【請求項４】
前記アウト口（５９）の縦中心線（ＣＬ３）と前記遊技機本体枠（１）の縦中心線（ＣＬ１）とを左右方向に略一致させたことを特徴とする請求項３に記載の弾球遊技機。
【請求項５】
前記中央遊技部品は、画像表示手段（５２）、又はその画像表示手段（５２）の表示画面（５２ａ）を取り囲む画面表示枠（５３）を備えたセンターケース（５４）であることを特徴とする請求項１〜４の何れかに記載の弾球遊技機。
【請求項６】
画像表示手段（５２）又は前記センターケース（５４）は、前記表示画面（５２ａ）の縦中心線（ＣＬ４）を前記アウト口（５９）の縦中心線（ＣＬ３）に対して左右方向の一方側にずらして配置されていることを特徴とする請求項１又は２に記載の弾球遊技機。
【請求項７】
前記中央遊技部品は、始動口又は電動チューリップ（５６）であることを特徴とする請求項１〜６の何れかに記載の弾球遊技機。
【請求項８】
前記中央遊技部品は大入賞手段（５７）であることを特徴とする請求項１〜７の何れかに記載の弾球遊技機。
【発明の詳細な説明】
【技術分野】
【０００１】
本発明は、前面側に遊技領域を備えた遊技盤が遊技機本体枠に装着された弾球遊技機に関するものである。
【背景技術】
【０００２】
パチンコ機等の弾球遊技機では、前面側に遊技領域を備えた遊技盤が遊技機本体枠に着脱自在に装着されており、例えば遊技盤を交換することで機種変更が可能となっている。その遊技機本体枠は、略矩形状の外枠と、遊技盤を着脱自在に保持する遊技盤装着枠を有し且つ外枠の前側に装着される内枠とを備え、またその左右方向一端側には内枠を外枠に対して開閉自在に支持するヒンジが、左右方向他端側には内枠を閉じた状態で外枠に解除可能に施錠する施錠手段が夫々配置されている（例えば特許文献１）。
【先行技術文献】
【特許文献】
【０００３】
【特許文献１】特開２００８−２９５６１９号公報
【発明の概要】
【発明が解決しようとする課題】
【０００４】
特許文献１に示すような従来の弾球遊技機では、遊技領域が遊技盤に対して左右方向の中央に配置され、その遊技盤は、遊技領域が遊技機本体枠の左右方向中央にくるように遊技機本体枠に装着されていたため、遊技領域が遊技機本体枠の左右方向中央に位置し、遊技者が無理なく遊技領域に正対して自然な体勢で遊技を行うことができる反面、遊技領域を広く確保しようとすると、遊技機本体枠上における遊技盤の左右両側は共に余裕がなく、例えば遊技機本体枠の開閉端側に施錠手段等を配置するための十分なスペースを確保することが困難であるという問題があった。
【０００５】
本発明は上記事情に鑑みてなされたものであり、遊技者が自然な体勢で無理なく遊技を行うことができ、しかも遊技機本体枠の開閉端側に施錠手段等を配置するための十分なスペースを確保することが可能な弾球遊技機を提供することを目的とする。
【課題を解決するための手段】
【０００６】
本発明は、前面側に遊技領域９ａを備えた遊技盤９が遊技機本体枠１に装着され、前記遊技機本体枠１は、略矩形状の外枠２と、前記遊技盤９を着脱自在に保持する遊技盤装着枠８を有し且つ前記外枠２の前側に左右方向一端側のヒンジ１０により開閉自在に装着された内枠３とを備え、前記遊技機本体枠１における左右方向他端側に、前記内枠３を閉じた状態で前記外枠２に解除可能に施錠する施錠手段１１を配置した弾球遊技機において、前記遊技盤９は、その縦中心線ＣＬ２を前記遊技機本体枠１の縦中心線ＣＬ１に対して前記ヒンジ１０側にずらして配置され、前記遊技領域９ａは、その略中央に設けられた中央遊技部品５９，５２，５４，５６，５７の縦中心線ＣＬ３〜ＣＬ５を前記遊技盤９の縦中心線ＣＬ２に対して前記施錠手段１１側にずらして配置されているものである。
【発明の効果】
【０００７】
本発明によれば、遊技機本体枠１の開閉端側に施錠手段１１等を配置するための十分なスペースを確保することが可能であると共に、遊技領域９ａについては遊技機本体枠１の左右方向中央又はそれに近い位置に配置されるために見映えがよく、また遊技者は自然な体勢で無理なく遊技を行うことができるという利点がある。
【図面の簡単な説明】
【０００８】
【図１】本発明の第１の実施形態を示すパチンコ機の全体正面図である。
【図２】同じくガラス扉及び前面板を外した状態の正面図である。
【図３】同じく内枠の全体斜視図である。
【図４】同じく要部平面断面図である。
【図５】同じく施錠操作手段部分の背面断面図である。
【図６】同じく内枠用施錠手段及びガラス扉用施錠手段近傍の側面断面図である。
【図７】本発明の第２の実施形態を示すパチンコ機の全体正面図である。
【図８】本発明の第３の実施形態を示すパチンコ機の全体正面図である。
【図９】本発明の第４の実施形態を示すパチンコ機の全体正面図である。
【発明を実施するための形態】
【０００９】
以下、本発明の実施形態を図面に基づいて詳述する。図１〜図６は本発明をパチンコ機に採用した第１の実施形態を例示している。図１〜図３において、遊技機本体枠１は、矩形状の外枠２と、この外枠２の前側に装着された内枠３とを備えている。
【００１０】
内枠３は、図２，図３等に示すように、外枠２の前端面に当接する矩形状の枠部４と、この枠部４の内縁側から外枠２の内面に沿って後ろ向き膨出状に形成された嵌合部５とを備え、合成樹脂により例えば一体形成されており、嵌合部５の内側下部に設けられた下部装着部６に発射手段７、下部スピーカ６ａ等が、嵌合部５の内側で且つ下部装着部６の上側に設けられた遊技盤装着枠８に遊技盤９が夫々配置されている。
【００１１】
枠部４は、上端側及び下端側に設けられた左右方向の横枠部４ａ，４ｂと、左端側及び右端側に設けられた上下方向の縦枠部４ｃ，４ｄとで構成されており、内枠３はその左右一端側、例えば左縦枠部４ｃ側に設けられた上下方向の内枠用ヒンジ１０により外枠２に開閉自在に枢支され、左右方向他端側、例えば右縦枠部４ｄに設けられた内枠用施錠手段１１により、外枠２に対して解除可能に施錠されている。
【００１２】
また、内枠３の前側には、図１に示すように下部装着部６に対応する前面板１２と、この前面板１２の上側で遊技盤９の前側に対応するガラス扉１３とが、左右方向一端側、例えば内枠用ヒンジ１０と同じ左端側の前面板用ヒンジ１４とガラス扉用ヒンジ１５とにより夫々開閉自在に枢支され、左右方向他端側、例えば右端側に設けられた前面板用施錠手段（図示省略）とガラス扉用施錠手段１６とにより内枠３に対して解除可能に施錠されている。
【００１３】
内枠用施錠手段１１は内枠３を閉じたときに、ガラス扉用施錠手段１６はガラス扉１３を閉じたときに夫々施錠し、共通の施錠操作手段１７のキー操作により施錠状態を解除するようになっている。なお、施錠操作手段１７は、例えばガラス扉１３の開閉端側（右端側）に配置されている。また、前面板用施錠手段は前面板１２を閉じたときに施錠し、図示しない解除操作部が手動操作されたときに施錠状態を解除するようになっている。なお、解除操作部はガラス扉１３が開放されることにより操作可能となる。
【００１４】
前面板１２には、その前側に、発射手段７に供給するための遊技球を貯留する上皿１８、この上皿１８が満杯となったときにその余剰球を受けて貯留する下皿１９、発射手段７を作動させるための発射ハンドル２０等が設けられている。更に、上皿１８等を前側から覆う上皿カバー２１上には、例えば左右方向の中央に第１演出ボタン２２が、その左側に第２演出ボタン２３が夫々設けられている。
【００１５】
ガラス扉１３は、図１，図４等に示すように、遊技盤９の遊技領域９ａに対応する窓孔２４を有する例えば合成樹脂製の扉本体２５と、この扉本体２５の裏側に着脱自在に装着されたガラス板ユニット２６と、扉本体２５の左右両縁部及び下縁部に沿って配置される補強部材２７とを備え、窓孔２４内のガラス板ユニット２６を介して遊技領域９ａを前側から透視可能となっている。扉本体２５には、例えば左端側にガラス扉用ヒンジ１５が、右端側にガラス扉用施錠手段１６を構成する１又は複数の受け具２８が設けられ、夫々例えば補強部材２７に対して固定又は一体形成されている。
【００１６】
また、扉本体２５の開閉端側（右端側）の例えば下部には施錠操作手段１７が装着され、補強部材２７に固定されている。この施錠操作手段１７は、図１，図５等に示すように、シリンダ状の本体部２９と、一対の係合爪３０ａ，３０ｂを有し且つ本体部２９の前後方向の操作軸３１の後端に固定された係合操作部３０とを備え、本体部２９の前側からキーを挿入して回動操作したときに、係合操作部３０が操作軸３１廻りに正逆回動するようになっている。
【００１７】
遊技盤装着枠８は嵌合部５の前部側に設けられており、図２〜図４等に示すように、嵌合部５を構成する上嵌合部５ａに設けられる上支持枠４１、下部装着部６の上縁側に設けられる下支持枠４２、嵌合部５を構成する左嵌合部５ｃに設けられる左支持枠４３、嵌合部５を構成する右嵌合部５ｄに設けられる右支持枠４４により、前側が遊技盤着脱可能に開放された矩形状に形成されている。
【００１８】
上下左右の支持枠４１〜４４は、夫々上横枠部４ａ、下部装着部６、左縦枠部４ｃ、右縦枠部４ｄの内周側（下部装着部６については上縁側）から後ろ向きに延設された装着枠周壁部４１ａ〜４４ａと、この装着枠周壁部４１ａ〜４４ａの後端側から遊技盤９の背面に沿って内向きに延設された装着枠後壁部４１ｂ〜４４ｂとで断面略Ｌ字型に形成されている。
【００１９】
支持枠４１〜４４のうちの一つ、例えば内枠用ヒンジ１０と同じ側の左支持枠４３には、例えば装着枠周壁部４３ａから遊技盤９の前面側に沿って突設される前面支持部４５と、例えば装着枠後壁部４３ｂ上又はその内周側に配置され且つ遊技盤９の端部（左端部）を前側の前面支持部４５側に付勢する板ばね等よりなる付勢手段４６とが設けられており、遊技盤９の端部（左縁部）をその外周面側及び前後両面側の三方から挟み込むと共に付勢手段４６により前側、即ち前面支持部４５側に押圧して支持するようになっている。
【００２０】
更に、遊技盤装着枠８上又はその近傍には、遊技盤９における前面支持部４５とは反対の端部（右端部）に対応して、遊技盤装着枠８に前側から装着された遊技盤９の端部（右端部）を解除可能に固定する１又は複数の締結具４７が設けられている。
【００２１】
また、この遊技盤装着枠８は、遊技機本体枠１に対して内枠用ヒンジ１０側（左側）に偏って設けられている。即ち、内枠３の左縦枠部４ｃと右縦枠部４ｄとを比較すると、図２に示すように内枠用ヒンジ１０側の左縦枠部４ｃよりも反対側の右縦枠部４ｄの方が幅広に形成されている。これにより、遊技盤９は、その縦中心線（全幅を二等分する線）ＣＬ２を遊技機本体枠１の縦中心線ＣＬ１に対して内枠用ヒンジ１０側にずらした状態で遊技盤装着枠８に装着される（図１及び図２）。なお、右縦枠部４ｄ上には、内枠用施錠手段１１、ガラス扉用施錠手段１６等が配置されている。
【００２２】
遊技盤９はベニヤ板等により略矩形状に形成されており、図１，図２等に示すように、その前面側には発射手段７からの遊技球を案内するガイドレール５１が設けられ、このガイドレール５１の内側に設けられた略円形の遊技領域９ａ内に、液晶表示手段等の画像表示手段５２の表示画面５２ａを取り囲む画面表示枠５３を備えたセンターケース５４が例えば略中央に配置されると共に、そのセンターケース５４の左右一側、例えば左側に通過ゲート５５が、下側に電動チューリップ５６及び大入賞手段５７が、また大入賞手段５７等の左右両側等に複数の普通入賞手段５８が夫々配置され、また遊技領域９ａの最下部には、入賞できなかったアウト球を遊技盤９の後側に排出するためのアウト口５９が配置されている。
【００２３】
なお、電動チューリップ５６は、上下２つの始動口５６ａ，５６ｂと、下始動口５６ｂを開閉する開閉手段６０とを備え、例えばセンターケース４４の下側に配置されている。上始動口５６ａは、開閉手段等を有しない非作動式入賞口であり、一方の下始動口５６ｂは、左右一対の開閉爪を備えた開閉手段６０により遊技球が入賞可能な開状態と入賞不可能な閉状態とに切り換え可能な作動式入賞口である。始動口５６ａ，５６ｂに遊技球が入賞すると、画像表示手段５２上その他の図柄が変動し、その変動後の図柄が特定の態様となることに基づいて、大入賞手段５７が開放する等の利益状態が発生する。
【００２４】
ここで、遊技領域９ａは、その最下部に設けられたアウト口（中央遊技部品）５９の縦中心線ＣＬ３を、遊技盤９の縦中心線ＣＬ２に対して右縦枠部４ｄ側、即ち施錠手段１１，１６側にずらした位置に配置されており、遊技盤９を遊技盤装着枠８に装着したとき、アウト口５９の縦中心線ＣＬ３と遊技機本体枠１の縦中心線ＣＬ１とが左右方向に一致するようになっている。なお、この「一致」は完全な一致はもちろん、１〜数ｍｍ程度の誤差があってもよい（以下同様）。
【００２５】
また、遊技領域９ａ内のセンターケース（中央遊技部品）５４は、表示画面５２ａの縦中心線ＣＬ４とアウト口５９の縦中心線ＣＬ３とが左右方向に一致するように配置され、また電動チューリップ（中央遊技部品）５６及び大入賞手段（中央遊技部品）５７の縦中心線ＣＬ５も表示画面５２ａ及びアウト口５９の縦中心線ＣＬ４，ＣＬ３と左右方向に一致している。
【００２６】
内枠用施錠手段１１とガラス扉用施錠手段１６は、図４〜図６等に示すように共通の施錠操作手段１７により解除操作可能に並べて設けられている。内枠用施錠手段１１は、外枠２の内側に固定された例えば上下一対の受け具６１と、内枠３に設けられ且つ内枠３を閉じたときに各受け具６１に係脱自在に係合する掛け具６２と、上下の掛け具６２を連動連結する連動部材６３とを有し、掛け具６２は受け具６１に係脱すべく内枠３の凹部内の支持板６４に支軸６５廻りに回動自在に枢支されている。
【００２７】
ガラス扉用施錠手段１６は、ガラス扉１３の裏側に固定された上下方向に複数個の受け具２８と、内枠３の凹部内に連動部材６３と並べて配置され且つ支持板６４により上下動自在に支持された施錠板６６と、各受け具２８に対応して施錠板６６に設けられ且つガラス扉１３を閉じたときに各受け具２８に係脱自在に係合する掛け具６７とを有している。
【００２８】
内枠用施錠手段１１とガラス扉用施錠手段１６はその連動部材６３、施錠板６６を上下逆向きに操作したときに施錠を解除するようになっており、その連動部材６３、施錠板６６間に、両者を施錠方向に付勢するバネ６８が設けられている。連動部材６３、施錠板６６は施錠操作手段１７の内側近傍を迂回する屈曲部６３ａ，６６ａを有し、その屈曲部６３ａ，６６ａに連動爪６３ｂ，６６ｂが設けられている。連動爪６３ｂ，６６ｂはガラス扉１３を閉じたときに係合操作部３０の一対の係合爪３０ａ，３０ｂ間に係合可能に位置するようになっている。
【００２９】
内枠３とガラス扉１３とが夫々内枠用施錠手段１１、ガラス扉用施錠手段１６により施錠されている状態で、施錠操作手段１７の本体部２９に挿入されたキーが例えば時計方向（図５における反時計方向）に操作されると、それによって係合操作部３０が時計方向に回転し、係合爪３０ａによって連動爪６３ｂを介して連動部材６３が押し上げられ、掛け具６２の受け具６１への係合が解除され、内枠３の施錠が解除される。逆に、施錠操作手段１７の本体部２９に挿入されたキーが例えば反時計方向（図５における時計方向）に操作されると、それによって係合操作部３０が反時計方向に回転し、係合爪３０ｂによって連動爪６６ｂを介して施錠板６６が押し下げられ、掛け具６７の受け具２８への係合が解除され、ガラス扉１３の施錠が解除される。
【００３０】
以上説明したように、本実施形態のパチンコ機は、遊技盤９が、その縦中心線ＣＬ２を遊技機本体枠１の縦中心線ＣＬ１に対して内枠用ヒンジ１０側にずらして配置され、遊技領域９ａは、その最下部に設けられたアウト口５９の縦中心線ＣＬ３を遊技盤９の縦中心線ＣＬ２に対して内枠用施錠手段１１側にずらし、アウト口５９の縦中心線ＣＬ３と遊技機本体枠１の縦中心線ＣＬ１とを左右方向に略一致させているため、遊技機本体枠１の開閉端側に施錠手段１１等を配置するための十分なスペースを確保することが可能であると共に、遊技領域９ａについては遊技機本体枠１の左右方向中央に配置されるために見映えがよく、また遊技者は自然な体勢で無理なく遊技を行うことができるという利点がある。
【００３１】
図７は本発明の第２の実施形態を例示し、第１の実施形態を一部変更して、表示画面５２ａの縦中心線ＣＬ４をアウト口５９の縦中心線ＣＬ３に対して左右方向の一方側、例えば内枠用ヒンジ１０と反対側にずらした状態でセンターケース５４を配置した例を示している。
【００３２】
なお、遊技盤９が、その縦中心線ＣＬ２を遊技機本体枠１の縦中心線ＣＬ１に対して内枠用ヒンジ１０側にずらして配置され、遊技領域９ａが、その最下部に設けられたアウト口５９の縦中心線ＣＬ３を遊技盤９の縦中心線ＣＬ２に対して内枠用施錠手段１１側にずらし、アウト口５９の縦中心線ＣＬ３と遊技機本体枠１の縦中心線ＣＬ１とを左右方向に一致させている点については第１の実施形態と同様である。
【００３３】
このように、表示画面５２ａの縦中心線ＣＬ４をアウト口５９の縦中心線ＣＬ３に対して左右方向の一方側、例えば内枠用ヒンジ１０と反対側にずらすことにより、大画面の画像表示手段５２を用いる場合でも遊技領域９ａ内の左右方向一方側、例えば左側に十分な広さの遊技球落下域を確保することができる。
【００３４】
図８は本発明の第３の実施形態を例示し、第１の実施形態を一部変更して、アウト口５９の縦中心線ＣＬ３と遊技機本体枠１の縦中心線ＣＬ１とを左右方向にずらした例を示している。なお、遊技盤９が、その縦中心線ＣＬ２を遊技機本体枠１の縦中心線ＣＬ１に対して内枠用ヒンジ１０側にずらして配置され、遊技領域９ａが、その最下部に設けられたアウト口５９の縦中心線ＣＬ３を遊技盤９の縦中心線ＣＬ２に対して内枠用施錠手段１１側にずらして配置され、更に遊技領域９ａ内のセンターケース５４が、表示画面５２ａの縦中心線ＣＬ４とアウト口５９の縦中心線ＣＬ３とが左右方向に一致するように配置され、また電動チューリップ５６及び大入賞手段５７の縦中心線ＣＬ５も表示画面５２ａ及びアウト口５９の縦中心線ＣＬ４，ＣＬ３と左右方向に一致している点については第１の実施形態と同様である。
【００３５】
このように、アウト口５９の縦中心線ＣＬ３と遊技機本体枠１の縦中心線ＣＬ１とは必ずしも左右方向に一致させる必要はなく、例えば遊技機本体枠１の前面側のデザインが左右方向非対称でそのデザイン上の中心が左右方向の一方側に偏っているような場合には、アウト口５９の縦中心線ＣＬ３をそのデザイン上の中心と一致させることも可能である。
【００３６】
図９は本発明の第４の実施形態を例示し、第２の実施形態を一部変更して、表示画面５２ａの縦中心線ＣＬ４をアウト口５９の縦中心線ＣＬ３に対して左右方向の一方側、例えば内枠用ヒンジ１０の反対側にずらすだけでなく、アウト口５９の縦中心線ＣＬ３も遊技機本体枠１の縦中心線ＣＬ１に対して左右方向の一方側にずらした例を示している。
【００３７】
以上、本発明の実施形態について詳述したが、本発明はこれらの実施形態に限定されるものではなく、本発明の趣旨を逸脱しない範囲で種々の変更が可能である。例えば、アウト口５９の縦中心線ＣＬ３は、遊技機本体枠１の縦中心線ＣＬ１よりもヒンジ１０側にあってもよい。
【００３８】
第３，第４の実施形態のように、アウト口５９の縦中心線ＣＬ３と遊技機本体枠１の縦中心線ＣＬ１とを左右方向にずらす場合、例えば遊技機本体枠１の左右方向略中央に配置される第１演出ボタン２２等、或いは遊技機本体枠１の左右に配置されるスピーカ等については、そのアウト口５９の縦中心線ＣＬ３を基準に配置してもよい。
【００３９】
また、第２，第４の実施形態のように、表示画面５２ａの縦中心線ＣＬ４とアウト口５９の縦中心線ＣＬ３とを左右方向にずらす場合、例えば遊技機本体枠１の左右方向略中央に配置される第１演出ボタン２２等、或いは遊技機本体枠１の左右に配置されるスピーカ等については、その表示画面５２ａの縦中心線ＣＬ４を基準に配置してもよい。
【００４０】
また本発明は、パチンコ機に限らず、アレンジボール機等の他の弾球遊技機においても同様に実施することが可能である。
【符号の説明】
【００４１】
１    遊技機本体枠
２    外枠
３    内枠
８    遊技盤装着枠
９ａ  遊技領域
９    遊技盤
１０    内枠用ヒンジ（ヒンジ）
１１    内枠用施錠手段（施錠手段）
５２    画像表示手段（中央遊技部品）
５２ａ  表示画面
５３    画面表示枠
５４    センターケース（中央遊技部品）
５６    電動チューリップ（中央遊技部品）
５７    大入賞手段（中央遊技部品）
５９    アウト口（中央遊技部品）
ＣＬ１  遊技機本体枠の縦中心線
ＣＬ２  遊技盤の縦中心線
ＣＬ３  アウト口の縦中心線
ＣＬ４  表示画面の縦中心線
ＣＬ５  電動チューリップ及び大入賞手段の縦中心線
【図１】
2011182976.tif 000003
【図２】
2011182976.tif 000004
【図３】
2011182976.tif 000005
【図４】
2011182976.tif 000006
【図５】
2011182976.tif 000007
【図６】
2011182976.tif 000008
【図７】
2011182976.tif 000009
【図８】
2011182976.tif 000010
【図９】
2011182976.tif 000011